(57)【要約】【課題】  顧客に対するサービスの提供に支障が生じない範囲内で、重複予約を行うことが可能な予約管理システムを提供する。【解決手段】  予約管理サーバのハードディスクに、予約テーブル２３を表示するための予約の内容を格納する。予約テーブル２３は、縦軸方向の時間軸表示部２５と、横軸方向の美容師表示部２７と、を有していて、美容師表示部２７は横軸を美容師Ａ、Ｂ・・・毎に分割しているが、さらに、それぞれの美容師欄を、第１欄と第２欄とに区分している。第２欄に対する予約は、管理者側のみが行うことができ、第１欄の予約と重複しても受け付けられるが、第２欄に対する予約状況は管理者側に開示されるだけで、顧客には開示されない。【選択図】    図３
2005216262.tif 000002
【特許請求の範囲】
【請求項１】
通信回線を介して顧客からの予約を管理する予約管理システムであって、
顧客のクライアント端末と通信可能に接続され、前記クライアント端末に、顧客閲覧用予約情報を送信するとともに、この顧客閲覧用予約情報に対応して前記クライアント端末から送信されたクライアント側予約を受け付ける予約管理サーバと、前記予約管理サーバと通信可能に接続され、少なくとも、前記予約管理サーバが受け付けた前記クライアント側予約を閲覧用として受信するとともに、クライアント端末を介さない直接予約を入力できる管理者側端末と、を備え、
前記管理者側端末に入力される前記直接予約は、前記クライアント側予約とともに前記クライアント端末に送信される前記顧客閲覧用予約情報を構成するように、前記予約管理サーバに送信される第１の種類の予約と、前記クライアント端末では閲覧されない顧客非閲覧予約情報を構成する第２の種類の予約と、を含み、
前記第１の種類の予約は、前記顧客閲覧用予約情報内の予約と重複しないように入力されることにより受け付けられるものであり、かつ、前記第２の種類の予約は、前記顧客非閲覧予約情報内の予約と重複しないように入力されることにより受け付けられるものであり、
前記管理者側端末が、前記顧客閲覧用予約情報と、前記顧客非閲覧予約情報と、を同時に又は別々に表示できるように構成されている、ことを特徴とする予約管理システム。
【請求項２】
前記顧客閲覧用予約情報と、前記顧客非閲覧予約情報とは、同時に、しかも、共通の時間軸を有して並んで表示される、ことを特徴とする請求項１記載の予約管理システム。
【請求項３】
通信回線を介して顧客のクライアント端末及び管理者側端末と接続され、顧客からの予約を管理する予約管理装置であって、
クライアント端末に顧客閲覧用予約情報を送信するとともに、管理者側端末に管理者閲覧用予約情報を送信する通信部と、前記クライアント端末から送信されたクライアント側予約及び前記管理者側端末から送信された、前記クライアント端末を介さない直接予約を、前記通信部を通して受け付けて記録するための記憶部と、前記通信部及び前記記憶部の動作を管理する管理部と、を備え、
前記記憶部は、前記直接予約を、前記クライアント側予約とともに前記顧客閲覧用予約情報を構成する第１の種類の予約と、前記クライアント端末では閲覧されない顧客非閲覧予約情報として、前記顧客閲覧用予約情報とともに前記管理者閲覧用予約情報を構成する第２の種類の予約と、に区分して記録し、
前記管理部は、前記記憶部に記録された前記顧客閲覧用予約情報と重複しない前記第１の種類の予約を前記記憶部に記録して受け付けるとともに、前記顧客非閲覧予約情報と重複しない前記第２の種類の予約を前記記憶部に記録して受け付ける、ことを特徴とする予約管理装置。
【請求項４】
前記管理部は、前記管理者閲覧用予約情報を、前記顧客閲覧用予約情報と、前記顧客非閲覧予約情報とが、同時に、しかも、共通の時間軸を有して並んで表示されるように、前記管理者側端末に送信する、ことを特徴とする請求項３記載の予約管理装置。
【請求項５】
前記管理部は、前記記憶部に記録された情報に基づき、前記通信部を通して前記管理者側端末に顧客管理・集計情報を送信する、ことを特徴とする請求項３又は４記載の予約管理装置。
【発明の詳細な説明】
【技術分野】
【０００１】
本発明は、美容院等の予約を管理する予約管理システム、より具体的には、インターネットなどの通信回線を介する予約と、電話などによる直接予約とを効率的に管理するための予約管理システム及びこのような予約管理システムに用いられる予約管理装置に関する。
【背景技術】
【０００２】
美容院のように、サービス提供者が、例えば一人の顧客につきっきりで又はほとんどつきっきりで、長時間サービスを提供する店舗では、顧客が、来店と同時に、希望するサービス提供者のサービスを受けられるように、予約制が採用されている場合が多く、インターネットなどの通信回線の普及により、通信回線を介して予約を受け付けるといったことも行われている。例えば、パーソナルコンピュータや携帯電話機などのクライアント（顧客）端末に、予約管理装置又はサーバから、サービス提供者のスケジュール等の予約情報が送信され、この予約情報に対応してクライアント端末から予約管理サーバに予約が送信されると、予約が受け付けられて完了するというように構成される。予約管理サーバは、受信した予約によりクライアント端末に送信する予約情報を更新する。このような通信回線を介しての予約管理システムにより、顧客は、どのような時間帯でも、店舗に対して予約を入れることが可能となる。
【０００３】
ところで、このような予約管理システムを導入している店舗でも、電話などによる直接的な予約（直接予約）は受け付けている場合がほとんどである。このような場合には、電話などによる直接予約を、クライアント端末から予約管理サーバに送信されたクライアント側予約と一元化させて管理しておかないと、同一のサービス提供者に対して同一の時間帯に複数の予約が重複して行われるダブルブッキングが生じてしまい、その結果、サービス提供者にオペレーション上の無理が発生したり、顧客の信用を失ったりするおそれがある。
【０００４】
このような事態を回避する予約管理システムとしては、サロン用コンピュータに直接入力された予約情報と、インターネット上のデータサーバに入力された予約情報とを、同期化システムを介して同期化させて管理するように構成されたものが知られている（例えば特許文献１参照）。この予約管理システムでは、受け付けられたクライアント側予約及び直接予約と同一の時間帯で、例えば新たなクライアント側予約を登録することができないように構成されているため、予約の重複が防止されることとなる。
【０００５】
【特許文献１】特開２００３−１５７３１９号公報
【発明の開示】
【発明が解決しようとする課題】
【０００６】
しかしながら、例えば美容院では、サービス提供者である美容師は、一人の顧客へのパーマ作業を行っている間であっても、この顧客に使用したパーマ液を定着させているときには、他の顧客のカット作業を行うといったことが可能であるため、重複予約あるいはダブルブッキングを避けるだけでは、十分に効率的なサービス提供運営を遂行することはできない。
【０００７】
そこで本発明は、顧客に対するサービスの提供に支障が生じない範囲内で、重複予約を行うことが可能な予約管理システム及びこのような予約管理システムに用いられる予約管理装置の提供を目的とする。
【課題を解決するための手段】
【０００８】
この目的を達成するための本発明の予約管理システムは、通信回線を介して顧客からの予約を管理する予約管理システムであって、顧客のクライアント端末と通信可能に接続され、前記クライアント端末に、顧客閲覧用予約情報を送信するとともに、この顧客閲覧用予約情報に対応して前記クライアント端末から送信されたクライアント側予約を受け付ける予約管理サーバ（装置）と、前記予約管理サーバと通信可能に接続され、少なくとも、前記予約管理サーバが受け付けた前記クライアント側予約を閲覧用として受信するとともに、クライアント端末を介さない直接予約を入力できる管理者側端末と、を備え、前記管理者側端末に入力される前記直接予約は、前記クライアント側予約とともに前記クライアント端末に送信される前記顧客閲覧用予約情報を構成するように、前記予約管理サーバに送信される第１の種類の予約と、前記クライアント端末では閲覧されない顧客非閲覧予約情報を構成する第２の種類の予約と、を含み、前記第１の種類の予約は、前記顧客閲覧用予約情報（顧客閲覧用予約情報を構成する情報）内の予約、例えば前記クライアント側予約及び前記第１の種類の予約と重複しないように入力されることにより受け付けられるものであり、前記第２の種類の予約は、前記顧客非閲覧予約情報（顧客非閲覧予約情報を構成する情報）内の予約、例えばすでに受け付けられている前記第２の種類の予約と重複しないように入力されることにより受け付けられるものであって、前記管理者側端末が、前記顧客閲覧用予約情報と、前記顧客非閲覧予約情報とを、同時に又は別々に表示できるように構成されているものである。
【０００９】
本発明では、第２の種類の予約が、予約管理サーバに送信されて受け付けられる（記録される）ように構成することができる。例えば、管理者側端末が、第２の種類の予約を受け付けるか受け付けないかを判断することなく予約管理サーバに送信し、予約管理サーバが予約の受け付けについての決定権を行使する、といったように構成できる。あるいは、第２の種類の予約が、管理者側端末で受け付けられて（記録されて）、予約管理サーバに送信されないように構成することも可能ではある。管理者側端末は、例えば、予約管理サーバと接続され、管理者に与えられたパスワードを用いて、予約管理サーバからの情報を閲覧し、かつ予約管理サーバに予約等を送信するパーソナルコンピュータ又は携帯電話機等である。第２の種類の予約は、顧客閲覧用予約情報内の予約、例えばクライアント側予約又は第１の種類の予約と重複しても受け付けられるものであるが、このような第２の種類の予約は管理者側によって入力される。したがって、第２の種類の予約を受け付けても、顧客に対するサービスの提供に支障が生じないようにすることが可能である。また、第２の種類の予約は、クライアント側（顧客側）には開示されないので、顧客がクライアント側予約を行うに際して、煩わされるといったことはない。
【００１０】
第２の種類の予約は、顧客閲覧用予約情報内の予約、例えばクライアント側予約及び第１の種類の予約の状況を確認しながら、顧客に対するサービスの提供に支障が生じないように、かつ、顧客非閲覧予約情報、例えばすでに受け付けられている第２の種類の予約と重複しないように入力されなければならない。したがって、全ての予約状況が一目で確認できるように、顧客閲覧用予約情報と、顧客非閲覧予約情報とは、同時に、しかも、共通の時間軸を有して並んで表示されることが効果的である。顧客閲覧用予約情報と顧客非閲覧予約情報とはそれぞれ、例えば時間軸に沿って一列又は一列的に表示される。第１の種類の予約と顧客閲覧用予約情報内の予約との重複判定、および第２の種類の予約と顧客非閲覧予約情報内の予約との重複判定は、予約対象が複数ある場合には、例えば、予約対象ごとに行われる。すなわち、例えば担当者ごとに予約が行われる場合は、担当者ごとに別々に重複判定を行なうことができる。また、例えば、第２の種類の予約を、複数に区分する場合は、重複判定は、例えば、区分ごとに行われる。すなわち、例えば時間軸に沿って、第２の種類の予約を記入できる複数の区分欄が表示される場合には、区分欄ごとに別々に重複判定を行うことができる。いいかえると、他の区分欄の予約と重複しても予約が可能なように構成できる。
【００１１】
また、本発明の予約管理装置は、通信回線を介して顧客のクライアント端末及び管理者側端末と接続され、顧客からの予約を管理する予約管理装置であって、クライアント端末に顧客閲覧用予約情報を送信するとともに、管理者側端末に管理者閲覧用予約情報を送信する通信部と、前記クライアント端末から送信されたクライアント側予約及び前記管理者側端末から送信された、前記クライアント端末を介さない直接予約を、前記通信部を通して受け付けて記録するための記憶部と、前記通信部及び前記記憶部の動作を管理する管理部と、を備え、前記記憶部は、前記直接予約を、前記クライアント側予約とともに前記顧客閲覧用予約情報を構成する第１の種類の予約と、前記クライアント端末では閲覧されない顧客非閲覧予約情報として、前記顧客閲覧用予約情報とともに前記管理者閲覧用予約情報を構成する第２の種類の予約と、に区分して記録し、前記管理部は、前記記憶部に記録された前記顧客閲覧用予約情報と重複しない前記第１の種類の予約を前記記憶部に記録して受け付けるとともに、前記記憶部に記録された前記顧客非閲覧予約情報と重複しない前記第２の種類の予約を前記記憶部に記録して受け付けるものである。
【００１２】
管理部は、例えば、管理者閲覧用予約情報を、顧客閲覧用予約情報と、顧客非閲覧予約情報とが、同時に、しかも、共通の時間軸を有して並んで表示されるように、管理者側端末に送信する。
【００１３】
さらに、管理部が記憶部に記録された情報に基づき、通信部を通して管理者側端末に顧客管理・集計情報を送信するように構成しておけば、管理者側の経営活動を効果的にサポートすることができる。顧客管理・集計情報は、予約管理サーバから提供されるウェブページで検索・閲覧できるように構成することが可能である。また、顧客管理・集計情報は、予約管理サーバからの送信データを管理者側端末に記録しておき、管理者側端末で検索・表示できるように構成することが可能である。
【発明の効果】
【００１４】
以上説明したように、本発明の予約管理システム又は予約管理装置を用いれば、許容できる範囲内でのみ重複予約を生じさせて、顧客へのサービスを効率的に提供することが可能となる。
【発明を実施するための最良の形態】
【００１５】
以下、本発明の実施の形態を図面を参照して説明する。
【００１６】
図１は本発明に係る予約管理システムであって美容院に適用するためのもののシステム全体構成を示す図である。
【００１７】
予約管理システム１は、インターネット３（通信回線）を介して、クライアント端末としてのクライアント側パーソナルコンピュータ５又は携帯電話機７と接続された予約管理サーバ９（予約管理装置）と、インターネット３を介して予約管理サーバ９と接続された、管理者側端末としての美容院設置パーソナルコンピュータ１１と、を備えている。パーソナルコンピュータ５あるいは携帯電話機７は、予約管理サーバ９から予約情報（顧客閲覧用予約情報）などを受信して液晶ディスプレイ等の表示部に表示し、かつ、クライアント側予約などを予約管理サーバ９に送信するためのブラウザ（閲覧・通信用プログラム）を有し、パーソナルコンピュータ１１も、予約管理サーバ９から予約情報（管理者閲覧用予約情報）などを受信して液晶ディスプレイ等の表示部に表示し、かつ、クライアント端末を介さない直接予約などを予約管理サーバ９に送信するためのブラウザを有している。
【００１８】
図２は予約管理サーバ９の構成図である。
【００１９】
予約管理サーバ９は、ＣＰＵ及びデータやプログラムを通常は一時的に記憶するＲＡＭを備えた管理部（管理手段）１３と、入力部としてのキーボード及びマウス１５と、表示部としてのディスプレイ１７と、パーソナルコンピュータ５、１１や携帯電話機７と通信を行うための通信装置を有する通信部（通信手段）１９と、記憶部としてのハードディスク２１と、を備えていて、通常のコンピュータとしての構成を備えている。
【００２０】
ハードディスク２１には、顧客のＩＤ、予約されたサービスの種類及び予約の日時等の予約の内容が記録され、格納されていて、そのような内容又は情報が、図３に示すような予約テーブル（予約表）２３として美容院設置パーソナルコンピュータ１１に表示される。それぞれの日毎の予約テーブル２３は、縦軸方向の時間軸表示部（時間経過表示部）２５と、横軸方向の美容師表示部２７と、を有していて、時間軸表示部２５は縦軸を１０分毎に分割し、美容師表示部２７は横軸を美容師Ａ、Ｂ・・・毎に分割しているが、さらに、それぞれの美容師欄を、横方向に隣り合って並び、連続する第１欄と第２欄とに区分している。また、それぞれの第１欄及び第２欄は、顧客のＩＤ欄とサービスの種類欄とに分割されている。時間軸表示部２５の分割の単位時間は変更できるように構成されていて、例えば、時間軸表示部２５が縦軸を５分毎に分割するといったようにも構成できる。第２欄は、それぞれＩＤ欄とサービスの種類欄とを有する複数の区分欄に分割することが可能である。
【００２１】
予約テーブル２３は、予約した顧客のＩＤ番号と、カット（カットａやカットｂとして複数の態様が記録できる）やパーマ（パーマａやパーマｂとして複数の態様が記録できる）といったサービスの種類とをそれぞれ、予約時間とともに表示する。予約時間の表示は、時間枠へのＩＤ番号及びサービスの種類の表示により行われる。時間枠へのＩＤ番号及びサービスの種類の表示は、その時間枠が示す時間帯が、ＩＤ番号の顧客のサービスの種類を対象とする予約で埋まっていることを表している。それぞれの美容師Ａ、Ｂ・・・の第１欄には、パーソナルコンピュータ５及び携帯電話機７、そしてパーソナルコンピュータ１１から入力されて送信されて、ハードディスク２１に記録された予約が表示され、第２欄には、パーソナルコンピュータ１１から入力されて送信され、ハードディスク２１に記録された予約が表示される。
【００２２】
図４はクライアント側パーソナルコンピュータ５（あるいは携帯電話機７）から予約を入れる場合の説明図である。
【００２３】
クライアント側パーソナルコンピュータ５を予約管理サーバ９に接続し、パーソナルコンピュータ５の表示部にホームページを表示させたら、顧客のＩＤ入力等の必要な操作を行い（初めてアクセスする顧客は、予め美容院側からＩＤ及びパスワードを発行してもらっておく）、表示部に予約画面を表示させる（Ｓ−１）。予約画面では、予約情報（顧客閲覧用予約情報）が表形式で同時に表示され、顧客はこの予約情報を確認しながら予約を行うこととなる。表示された予約情報表２９は、図５に示すように、縦軸方向の時間軸表示部（時間経過表示部）３１と、横軸方向の美容師表示部３３とを有していて、時間軸表示部３１及び美容師表示部３３はそれぞれ、予約テーブル２３に対応して、縦軸を１０分毎に分割し、横軸を美容師Ａ、Ｂ・・・毎に分割しているが、例えば、予約テーブル２３の時間軸表示部２５の分割単位時間が５分に変更されれば、時間軸表示部３１の分割単位時間も、予約テーブル２３に対応して５分に変更される。予約情報表２９のそれぞれの美容師Ａ、Ｂ・・・の欄では、予約テーブル２３のそれぞれの美容師Ａ、Ｂ・・・の第１欄に表示される、同一の顧客（同一のＩＤ）の時間的に連続した予約が一つにまとめられ、「予約済み」として枠表示されている（枠表示Ｘ、Ｙ及びＺ参照）。
【００２４】
次に、表示画面の案内にしたがい、美容師を選択し、選択した美容師の欄内に表示又は記入されている予約と重複が生じないようにして、サービスの種類及び予約時間を入力する（Ｓ−２）。予約時間の入力はサービス開始時間を指定することにより行う。サービス終了時間の指定は、予約管理サーバ９のハードディスク２１内に記録されている顧客管理情報のサービス別時間を参照して行なわれる。すなわち、過去のサービス提供時に掛かった時間に基づき美容院設置パーソナルコンピュータ１１から入力された、当該顧客の当該サービスに対する時間を参照する。なお、初めてアクセスする顧客には、適当に設定された時間が割り振られる。必要な情報（クライアント側予約）の入力が終了したら、クライアント側予約を予約管理サーバ９に送信する（Ｓ−３）。クライアント側予約を受信（Ｓ−４）した予約管理サーバ９の管理部１３は、クライアント側予約が、予約情報表２９の当該美容師の欄内に記入されている予約、すなわち予約テーブル２３の当該美容師の第１欄に表示されるべき予約と重複するか否かを判定し（Ｓ−５）、重複しないと判定した場合には、顧客ＩＤ、サービスの種類及び必要な時間を第１欄に表示されるべきものとしてハードディスク２１に記録してクライアント側予約を受け付ける（Ｓ−６）。この受け付けにより記録された予約の内容は、少なくとも次から表示される、予約テーブル２３及び予約情報表２９に反映されることとなる。すでに述べたように、サービスの実行に必要な時間は、顧客から指定されたサービスの種類により予約管理サーバ９の管理部１３で設定されるが、ここで、管理部１３が、受信したクライアント側予約は、予約情報表２９の当該美容師の欄内に記入されている予約、すなわち予約テーブル２３の当該美容師の第１欄に記録又は表示されるべき予約と重複すると判定した場合には、例えば、受信したクライアント側予約の時間を設定すると、終了時刻が、すでに受け付けられている第１欄に表示されるべき予約と重複すると判定した場合には、パーソナルコンピュータ５に対して再入力を要求する（Ｓ−７）。
【００２５】
図６は美容院設置パーソナルコンピュータ１１から予約を入れる場合の説明図である。
【００２６】
美容院設置パーソナルコンピュータ１１を予約管理サーバ９に接続し、パーソナルコンピュータ１１の表示部にホームページを表示させたら、パスワードの入力送信等の必要な操作を行い、表示部に予約画面を表示させる（Ｓ−８）。予約画面では、予約情報（管理者閲覧用予約情報）が表形式（予約テーブル又は表２３）で同時に表示され、管理者側はこの予約情報を確認しながら、電話等で直接受けた顧客からの予約を入力することとなる。なお、通常は、常に予約を確認できるように、表示部に予約画面を表示させた状態を維持しておき、必要なときに予約作業を行うこととなる。また、表示部に予約画面を表示させているときに、予約管理サーバ９のハードディスク２１内の予約の内容が更新されたとき又は更新されるときは、表示されている予約情報表（予約テーブル又は表２３）も更新を反映したものにリアルタイムで変更されるように構成しておくことが好ましい。
【００２７】
次に、表示画面の案内にしたがい、美容師を選択し、選択した美容師の第１欄内に記入又は表示されている予約と重複が生じないようにして、顧客のＩＤ、サービスの種類及び予約時間を第１欄に対して入力し、顧客の予約要求を第１欄に対して反映させる（Ｓ−９）。予約時間の入力はサービス開始時間を指定することにより行う。必要な情報（第１の種類の予約）の入力が終了したら、第１の種類の予約を予約管理サーバ９に送信する（Ｓ−１０）。第１の種類の予約を受信（Ｓ−１１）した予約管理サーバ９の管理部１３は、第１の種類の予約が、予約テーブル２３の当該美容師の第１欄内に表示されている又は表示されるべき予約と重複するか否かを判定し（Ｓ−１２）、重複しないと判定した場合には、顧客ＩＤ、サービスの種類及び必要な時間を第１欄に表示されるべきものとしてハードディスク２１に記録して第１の種類の予約を受け付ける（Ｓ−１３）。この受け付けにより、ハードディスク２１内の予約の内容が更新されることとなる。サービスに必要な時間は、顧客から指定されたサービスの種類により顧客ごとに設定される。ここで、管理部１３が、受信した第１の種類の予約は、予約テーブル２３の当該美容師の第１欄に記入又は表示されているあるいは表示されるべき予約と重複すると判定した場合には、例えば、受信した第１の種類の予約の時間を設定すると、終了時刻が、すでに受け付けられている第１欄内の予約と重複すると判定した場合には、パーソナルコンピュータ５に対して再入力を要求する（Ｓ−１４）。
【００２８】
図７は美容院設置パーソナルコンピュータ１１から予約を入れる別の場合の説明図である。
【００２９】
図６で説明した場合と同様にして、パーソナルコンピュータ１１の表示部に予約画面を表示させたときに（Ｓ−８）、顧客の予約要求と、予約に係る美容師の第１欄内に記入又は表示されている予約との間に重複が生じていると、顧客の予約要求（直接要求）を当該美容師の第１欄内に表示されるべきものとして記録することができない。この場合には、表示画面の案内にしたがい、美容師を選択し、選択した美容師の第２欄内に記入又は表示されている予約と重複が生じないようにして、顧客のＩＤ、サービスの種類及び予約時間を第２欄に対して入力し、顧客の予約要求を第２欄に対して反映させる（Ｓ−１５）。予約時間の入力はサービス開始時間を指定することにより行う。必要な情報（第２の種類の予約）の入力が終了したら、第２の種類の予約（顧客非閲覧予約情報）を予約管理サーバ９に送信する（Ｓ−１６）。第２の種類の予約を受信（Ｓ−１７）した予約管理サーバ９の管理部１３は、第２の種類の予約が、予約テーブル２３の当該美容師の第２欄に表示されている又は表示されるべき予約と重複するか否かを判定し（Ｓ−１８）、重複しないと判定した場合には、顧客ＩＤ、サービスの種類及び必要な時間を第２欄に表示されるべきものとしてハードディスク２１に記録して第２の種類の予約を受け付ける（Ｓ−１９）。この受け付けにより、ハードディスク２１内の予約の内容が更新されることとなる。ここで、管理部１３が、受信した第２の種類の予約は、予約テーブル２３の当該美容師の第２欄に表示されている又は表示されるべき予約と重複すると判定した場合には、例えば、受信した第２の種類の予約の時間を設定すると、終了時刻が、すでに受け付けられている第２欄内の予約と重複すると判定した場合には、パーソナルコンピュータ１１に対して再入力を要求する（Ｓ−２０）。
【００３０】
図８は美容院設置パーソナルコンピュータ１１に表示された顧客データ検索画面を示す図、図９は美容院設置パーソナルコンピュータ１１に表示された月別売上データを示す図である。
【００３１】
予約管理サーバ９のハードディスク２１にはまた、顧客管理情報（顧客管理・集計情報）が記録されている。顧客管理情報は、氏名・年齢等、住所・電話番号等、家族構成等のプロフィール、主な担当者及び来店記録等から構成され、ＩＤと対応してあるいは関連付けられて記録される。これらの顧客管理情報のすべて又は多くは、予約管理サーバ９から提供された情報入力ウェブページに入力することにより、例えば美容院設置パーソナルコンピュータ１１からアップロードされて、予約管理サーバ９のハードディスク２１に記録される。予約管理サーバ９のハードディスク２１に記録された顧客管理情報は、美容院設置パーソナルコンピュータ１１からの要求に基づきダウンロードされて美容院設置パーソナルコンピュータ１１に記録される。ダウンロードされる顧客管理情報ファイルは、予約管理サーバ９の例えばハードディスク２１の記録データと同一又はほぼ同一のデータ内容のものである。そして、美容院設置パーソナルコンピュータ１１に記録された顧客管理情報に対し（ＩＤはカードＮｏ．として記録されている）、図８に示す顧客データ検索画面３５を起動又は表示させて検索（集計も含まれる）を行い、検索結果を表示させることができる（顧客管理情報の検索は美容院設置パーソナルコンピュータ１１にダウンロードしてインストールされた顧客管理情報検索プログラムにより実行される）。なお、顧客管理情報検索プログラムは、予約管理サーバ９からダウンロードされた顧客管理情報を含んだ管理情報ファイル又は顧客管理情報ファイルのみを処理するように構成されている。
【００３２】
顧客管理情報検索プログラムにより実行される検索機能としては、来店状態などを条件として該当顧客を検索する顧客絞り込み検索機能、日付を条件として該当日の売上高等を算出集計する日計データ機能、月を条件として該当月の売上高等を算出集計する月計データ機能（図９の棒グラフ３７参照）、年を条件として該当年の売上高等を算出集計する年計データ機能及び年度別売上高比較等を分析集計する分析機能が準備されている。なお、顧客絞り込み検索機能には抽出した顧客へのはがきラベル印刷機能等が付加されている。これらの機能の多くは予約管理サーバ９側でも実行できるように構成されている。
【００３３】
なお、美容院設置パーソナルコンピュータ１１から予約管理サーバ９に顧客管理情報をアップロードする場合及び顧客管理情報検索プログラムによる検索機能を利用する場合には、パスワードの入力が必要である。
【産業上の利用可能性】
【００３４】
本発明の予約管理システム及び予約管理装置を、例えば美容院の予約の管理に採用すれば、顧客の予約の便宜を図りつつ、店舗サービス提供を効率的に遂行することができる。
【図面の簡単な説明】
【００３５】
【図１】本発明に係る予約管理システムであって美容院に適用するためのもののシステム全体構成を示す図である。
【図２】予約管理サーバの構成図である。
【図３】予約テーブルを示す図である。
【図４】クライアント側パーソナルコンピュータから予約を入れる場合の説明図である。
【図５】予約情報表を示す図である。
【図６】美容院設置パーソナルコンピュータから予約を入れる場合の説明図である。
【図７】美容院設置パーソナルコンピュータから予約を入れる別の場合の説明図である。
【図８】美容院設置パーソナルコンピュータに表示された顧客データ検索画面を示す図である。
【図９】美容院設置パーソナルコンピュータに表示された月別売上データを示す図である。
【符号の説明】
【００３６】
１              予約管理システム
３              インターネット（通信回線）
５              クライアント側パーソナルコンピュータ（クライアント端末）
７              携帯電話機（クライアント端末）
９              予約管理サーバ
１１              美容院設置パーソナルコンピュータ（管理者側端末）
【図１】
2005216262.tif 000003
【図２】
2005216262.tif 000004
【図３】
2005216262.tif 000005
【図４】
2005216262.tif 000006
【図５】
2005216262.tif 000007
【図６】
2005216262.tif 000008
【図７】
2005216262.tif 000009
【図８】
2005216262.tif 000010
【図９】
2005216262.tif 000011